(57)【要約】【課題】特殊景品を受け取った遊技者以外には換金させない遊技管理システムを提供する。【解決手段】景品発行手段は、特殊景品を発行する場合に該特殊景品の記憶手段及び遊技者が携帯可能な交換情報記憶手段の少なくとも一つに特殊景品と該特殊景品の発行を受けた遊技者との関連を特定する交換情報を書き込み、景品交換手段は、特殊景品の記憶手段及び交換情報記憶手段の少なくとも一つに書き込まれた交換情報を読み出し、正当性判定手段は、交換情報読出手段によって読み出された交換情報に基づいて、景品発行手段によって特殊景品の発行を受けた遊技者と景品交換手段によって特殊景品を有価物に交換する遊技者とが同一であると判定した場合に、景品回収排出手段に特殊景品を回収させ、さらに有価物を排出させる。【選択図】図７
2007111330.tif 000002
【特許請求の範囲】
【請求項１】
遊技によって生じた賞遊技媒体数に応じて特殊景品を発行する景品発行手段と、前記景品発行手段によって発行された特殊景品と有価物とを交換する景品交換手段と、を備え、
前記特殊景品は、所定の識別情報を記憶する記憶手段を有し、
前記景品発行手段は、前記特殊景品を発行するときに前記記憶手段に所定の識別情報を書き込み可能な遊技管理システムにおいて、
遊技者が携帯可能であるとともに、前記景品発行手段によって発行された特殊景品と該特殊景品の発行を受けた遊技者との関連を特定する交換情報を記憶する交換情報記憶手段を備え、
前記景品発行手段は、前記特殊景品を発行する場合に該特殊景品の記憶手段及び前記交換情報記憶手段の少なくとも一つに前記交換情報を書き込む交換情報書込手段を有し、
前記景品交換手段は、
前記交換情報書込手段によって前記特殊景品の記憶手段及び前記交換情報記憶手段の少なくとも一つに書き込まれた交換情報を読み出す交換情報読出手段と、
前記交換情報読出手段によって読み出された交換情報の正当性を判定する正当性判定手段と、
前記正当性判定手段による判定結果に基づいて、前記有価物を排出する景品回収排出手段と、を有し、
前記正当性判定手段は、前記交換情報読出手段によって読み出された交換情報に基づいて、前記景品発行手段によって特殊景品の発行を受けた遊技者と前記景品交換手段によって特殊景品を有価物に交換する遊技者とが同一であると判定した場合に、前記景品回収排出手段に前記特殊景品を回収させ、さらに前記有価物を排出させることを特徴とする遊技管理システム。
【請求項２】
前記交換情報書込手段は、前記景品発行手段が前記特殊景品を発行するときに、該特殊景品の記憶手段及び前記交換情報記憶手段の双方に前記交換情報を書き込み、
前記交換情報読出手段は、前記交換情報書込手段によって前記特殊景品の記憶手段及び前記交換情報記憶手段に書き込まれた交換情報を読み出し、
前記正当性判定手段は、前記交換情報読出手段によって読み出された両交換情報を比較し、該両交換情報が一致した場合に、前記景品発行手段によって特殊景品の発行を受けた遊技者と前記景品交換手段によって特殊景品を有価物に交換する遊技者とが同一であると判定して、前記景品回収排出手段に特殊景品を回収させ、さらに前記有価物を排出させることを特徴とする請求項１に記載の遊技管理システム。
【請求項３】
前記景品発行手段によって排出される特殊景品が選択されると、抽出された乱数値に基づいて、前記交換情報書込手段によって書き込む交換情報を決定する交換情報決定手段を備えることを特徴とする請求項１又は請求項２に記載の遊技管理システム。
【請求項４】
前記交換情報記憶手段は、該交換情報記憶手段の保持者を特定可能な交換情報を予め記憶し、
前記交換情報書込手段は、前記景品発行手段が前記特殊景品を発行するときに、該特殊景品の記憶手段に前記交換情報を書き込み、
前記交換情報読出手段は、前記交換情報記憶手段に記憶された交換情報及び前記交換情報書込手段によって前記特殊景品の記憶手段に書き込まれた交換情報を読み出し、
前記正当性判定手段は、前記交換情報読出手段によって読み出された両交換情報を比較し、該両交換情報が一致した場合に、前記景品発行手段によって特殊景品の発行を受けた遊技者と前記景品交換手段によって特殊景品を有価物に交換する遊技者とが同一であると判定して、前記景品回収排出手段に特殊景品を回収させ、さらに前記有価物を排出させることを特徴とする請求項１に記載の遊技管理システム。
【請求項５】
前記特殊景品の記憶手段は、該特殊景品を特定可能な交換情報を予め記憶し、
前記交換情報書込手段は、前記景品発行手段が前記特殊景品を発行するときに、前記交換情報記憶手段に前記交換情報を書き込み、
前記交換情報読出手段は、前記特殊景品の記憶手段に記憶された交換情報及び前記交換情報書込手段によって前記交換情報記憶手段に書き込まれた交換情報を読み出し、
前記正当性判定手段は、前記交換情報読出手段によって読み出された両交換情報を比較し、該両交換情報が一致した場合に、前記景品発行手段によって特殊景品の発行を受けた遊技者と前記景品交換手段によって特殊景品を有価物に交換する遊技者とが同一であると判定して、前記景品回収排出手段に特殊景品を回収させ、さらに前記有価物を排出させることを特徴とする請求項１に記載の遊技管理システム。
【請求項６】
前記交換情報書込手段によって前記交換情報記憶手段及び／又は前記特殊景品の記憶手段に書き込まれた交換情報を記憶する識別情報記憶手段と、
前記識別情報記憶手段に記憶された交換情報を前記景品交換手段に送信する第１通信手段と、を備え、
前記景品交換手段は、
前記識別情報記憶手段に記憶された交換情報を前記第１通信手段から受信する第２通信手段と、
前記第２通信手段によって受信した交換情報を記憶する受信情報記憶手段と、を有し、
前記正当性判定手段は、
前記交換情報読出手段によって読み出された交換情報に基づいて、前記景品発行手段によって特殊景品の発行を受けた遊技者と前記景品交換手段によって特殊景品を有価物に交換する遊技者とが同一であると第１次判定をした場合に、
さらに、当該第１次判定に係る交換情報と前記受信情報記憶手段に記憶された交換情報とを比較し、両交換情報が一致した場合に、前記景品発行手段によって特殊景品の発行を受けた遊技者と前記景品交換手段によって特殊景品を有価物に交換する遊技者とが同一であると第２次判定をすることを特徴とする請求項１から請求項５のいずれかに記載の遊技管理システム。
【請求項７】
前記第２通信手段は、前記識別情報読出手段によって交換情報が読み出されると、前記第１通信手段に対して前記交換情報の送信を要求し、
前記受信情報記憶手段は、前記第２通信手段が第１通信手段から受信した交換情報を記憶することを特徴とする請求項６に記載の遊技管理システム。
【請求項８】
前記景品交換手段は、前記正当性判定手段による比較の結果、両交換情報が一致していないと判定された場合は、当該交換に係る遊技者を特定可能な遊技者情報を送信し、
前記遊技管理システムは、前記景品交換手段から送信された遊技者情報を不正交換者情報として記憶する不正交換情報記憶手段を備えることを特徴とする請求項１から請求項７のいずれかに記載の遊技管理システム。
【請求項９】
前記景品交換手段は、前記正当性判定手段による比較の結果、両交換情報が一致していないと判定された場合は、当該交換に係る遊技者を特定可能な遊技者情報と共に当該交換情報を送信し、
前記不正情報記憶手段は、前記景品交換手段から前記遊技者情報を受信すると、当該受信した遊技者情報を不正交換者情報として記憶する前に、該交換情報の正当性を判定することを特徴とする請求項８に記載の遊技管理システム。
【発明の詳細な説明】
【技術分野】
【０００１】
本発明は、本発明は遊技者が遊技により得た遊技球や遊技コイン等の賞遊技媒体と引き換えに景品を発行する遊技管理システムに関し、特に、賞遊技媒体と引き換えに景品カウンターで発行される特殊景品を、さらに所定の景品等と交換する際の安全性確保技術に関する。
【背景技術】
【０００２】
パチンコ遊技機やスロットマシン遊技機等を設置している遊技店において、遊技者は、遊技によって獲得した賞遊技媒体（遊技球やメダル等）の数によって、遊技店内の景品カウンターにて換金対象となる特殊景品と交換することができる。そして、この景品カウンターで発行された特殊景品を景品交換所に持参すると換金できるシステムとなっている。
【０００３】
この景品交換所において、特殊景品から換金する場合には景品交換所の係員が目視によって特殊景品の種類を判断し、換金額を計算するのが一般的であった。そのため、このような特殊景品は、価値が異なる複数種類のものを外見で容易に区別できるような単純な形状のものを使用していた。
【０００４】
しかしながら、複数種類の特殊景品が一度に多数、景品交換所に持ち込まれた場合には、その換金額の計算を間違ったり、換金のために多大な労力と時間を費やすことになっているという問題があった。
【０００５】
そこで、パチンコ店の固有のＩＤ番号等のデータを入力するＩＤ用集積回路を設けたデータ部を特殊景品に搭載し、遊技店（景品カウンター）及び景品交換所にてリード・ライト機器を使用してデータ部に入力されたデータをチェックして前述した問題を解決するシステムが提案された（例えば、特許文献１参照。）。
【特許文献１】特開平１０−２５６９６０号公報
【発明の開示】
【発明が解決しようとする課題】
【０００６】
ところで、近年、景品交換所で換金しようとしている遊技者を襲って現金を強奪する犯罪や、特殊景品を強奪する犯罪が多発しており、遊技者が安心して換金できないという問題が生じている。特に、特殊景品そのものを略奪する犯罪が多発する原因の一つとして、現状の遊技店における景品交換システムでは、特殊景品を景品交換所で提出さえすれば、誰でも容易に換金できることが挙げられる。
【０００７】
ここで、前述した特許文献１のようなシステムを採用し、ＩＤ用集積回路に様々なデータを入力可能にしてセキュリティ性を高めたとしても、特殊景品から換金しようとする遊技者が真の交換遊技者であるか否か、言い換えれば、景品カウンターで特殊景品を受け取った遊技者であるか否かを判断することはできない。
【０００８】
そこで、本発明は、特殊景品から換金する遊技者が、景品カウンターで特殊景品を受け取った遊技者であるか否かを判断し、特殊景品を受け取った遊技者以外には換金させない遊技管理システムを提供することを目的とする。
【課題を解決するための手段】
【０００９】
第１の発明は、遊技によって生じた賞遊技媒体数に応じて特殊景品を発行する景品発行手段と、前記景品発行手段によって発行された特殊景品と有価物とを交換する景品交換手段と、を備え、前記特殊景品は、所定の識別情報を記憶する記憶手段を有し、前記景品発行手段は、前記特殊景品を発行するときに前記記憶手段に所定の識別情報を書き込み可能な遊技管理システムにおいて、遊技者が携帯可能であるとともに、前記景品発行手段によって発行された特殊景品と該特殊景品の発行を受けた遊技者との関連を特定する交換情報を記憶する交換情報記憶手段を備え、前記景品発行手段は、前記特殊景品を発行する場合に該特殊景品の記憶手段及び前記交換情報記憶手段の少なくとも一つに前記交換情報を書き込む交換情報書込手段を有し、前記景品交換手段は、前記交換情報書込手段によって前記特殊景品の記憶手段及び前記交換情報記憶手段の少なくとも一つに書き込まれた交換情報を読み出す交換情報読出手段と、前記交換情報読出手段によって読み出された交換情報の正当性を判定する正当性判定手段と、前記正当性判定手段による判定結果に基づいて、前記有価物を排出する景品回収排出手段と、を有し、前記正当性判定手段は、前記交換情報読出手段によって読み出された交換情報に基づいて、前記景品発行手段によって特殊景品の発行を受けた遊技者と前記景品交換手段によって特殊景品を有価物に交換する遊技者とが同一であると判定した場合に、前記景品回収排出手段に前記特殊景品を回収させ、さらに前記有価物を排出させる。
【００１０】
第２の発明は、第１の発明において、前記交換情報書込手段は、前記景品発行手段が前記特殊景品を発行するときに、該特殊景品の記憶手段及び前記交換情報記憶手段の双方に前記交換情報を書き込み、前記交換情報読出手段は、前記交換情報書込手段によって前記特殊景品の記憶手段及び前記交換情報記憶手段に書き込まれた交換情報を読み出し、前記正当性判定手段は、前記交換情報読出手段によって読み出された両交換情報を比較し、該両交換情報が一致した場合に、前記景品発行手段によって特殊景品の発行を受けた遊技者と前記景品交換手段によって特殊景品を有価物に交換する遊技者とが同一であると判定して、前記景品回収排出手段に特殊景品を回収させ、さらに前記有価物を排出させる。
【００１１】
第３の発明は、第２の発明において、さらに、前記景品発行手段によって排出される特殊景品が選択されると、抽出された乱数値に基づいて、前記交換情報書込手段によって書き込む交換情報を決定する交換情報決定手段を備える。
【００１２】
第４の発明は、第１の発明において、前記交換情報記憶手段は、該交換情報記憶手段の保持者を特定可能な交換情報を予め記憶し、前記交換情報書込手段は、前記景品発行手段が前記特殊景品を発行するときに、該特殊景品の記憶手段に前記交換情報を書き込み、前記交換情報読出手段は、前記交換情報記憶手段に記憶された交換情報及び前記交換情報書込手段によって前記特殊景品の記憶手段に書き込まれた交換情報を読み出し、前記正当性判定手段は、前記交換情報読出手段によって読み出された両交換情報を比較し、該両交換情報が一致した場合に、前記景品発行手段によって特殊景品の発行を受けた遊技者と前記景品交換手段によって特殊景品を有価物に交換する遊技者とが同一であると判定して、前記景品回収排出手段に特殊景品を回収させ、さらに前記有価物を排出させる。
【００１３】
第５の発明は、第１の発明において、前記特殊景品の記憶手段は、該特殊景品を特定可能な交換情報を予め記憶し、前記交換情報書込手段は、前記景品発行手段が前記特殊景品を発行するときに、前記交換情報記憶手段に前記交換情報を書き込み、前記交換情報読出手段は、前記特殊景品の記憶手段に記憶された交換情報及び前記交換情報書込手段によって前記交換情報記憶手段に書き込まれた交換情報を読み出し、前記正当性判定手段は、前記交換情報読出手段によって読み出された両交換情報を比較し、該両交換情報が一致した場合に、前記景品発行手段によって特殊景品の発行を受けた遊技者と前記景品交換手段によって特殊景品を有価物に交換する遊技者とが同一であると判定して、前記景品回収排出手段に特殊景品を回収させ、さらに前記有価物を排出させる。
【００１４】
第６の発明は、第１〜４の発明において、前記交換情報書込手段によって前記交換情報記憶手段及び／又は前記特殊景品の記憶手段に書き込まれた交換情報を記憶する識別情報記憶手段と、前記識別情報記憶手段に記憶された交換情報を前記景品交換手段に送信する第１通信手段と、を備え、前記景品交換手段は、前記識別情報記憶手段に記憶された交換情報を前記第１通信手段から受信する第２通信手段と、前記第２通信手段によって受信した交換情報を記憶する受信情報記憶手段と、を有し、前記正当性判定手段は、前記交換情報読出手段によって読み出された交換情報に基づいて、前記景品発行手段によって特殊景品の発行を受けた遊技者と前記景品交換手段によって特殊景品を有価物に交換する遊技者とが同一であると第１次判定をした場合に、さらに、当該第１次判定に係る交換情報と前記受信情報記憶手段に記憶された交換情報とを比較し、両交換情報が一致した場合に、前記景品発行手段によって特殊景品の発行を受けた遊技者と前記景品交換手段によって特殊景品を有価物に交換する遊技者とが同一であると第２次判定をする。
【００１５】
第７の発明は、第６の発明において、前記第２通信手段は、前記識別情報読出手段によって交換情報が読み出されると、前記第１通信手段に対して前記交換情報の送信を要求し、前記受信情報記憶手段は、前記第２通信手段が第１通信手段から受信した交換情報を記憶する。
【００１６】
第８の発明は、第１〜７の発明において、前記景品交換手段は、前記正当性判定手段による比較の結果、両交換情報が一致していないと判定された場合は、当該交換に係る遊技者を特定可能な遊技者情報を送信し、前記遊技管理システムは、前記景品交換手段から送信された遊技者情報を不正交換者情報として記憶する不正交換情報記憶手段を備える。
【００１７】
第９の発明は、第８の発明において、前記景品交換手段は、前記正当性判定手段による比較の結果、両交換情報が一致していないと判定された場合は、当該交換に係る遊技者を特定可能な遊技者情報と共に当該交換情報を送信し、前記不正情報記憶手段は、前記景品交換手段から前記遊技者情報を受信すると、当該受信した遊技者情報を不正交換者情報として記憶する前に、該交換情報の正当性を判定する。
【発明の効果】
【００１８】
第１の発明によれば、遊技によって生じた賞遊技媒体数に応じて特殊景品を発行する景品発行手段と、景品発行手段によって発行された特殊景品と有価物とを交換する景品交換手段と、を備え、特殊景品は、所定の識別情報を記憶する記憶手段を有し、景品発行手段は、特殊景品を発行するときに記憶手段に所定の識別情報を書き込み可能な遊技管理システムにおいて、遊技者が携帯可能であるとともに、景品発行手段によって発行された特殊景品と特殊景品の発行を受けた遊技者との関連を特定する交換情報を記憶する交換情報記憶手段を備え、景品発行手段は、特殊景品を発行する場合に特殊景品の記憶手段及び交換情報記憶手段の少なくとも一つに交換情報を書き込む交換情報書込手段を有し、景品交換手段は、交換情報書込手段によって特殊景品の記憶手段及び交換情報記憶手段の少なくとも一つに書き込まれた交換情報を読み出す交換情報読出手段と、交換情報読出手段によって読み出された交換情報の正当性を判定する正当性判定手段と、正当性判定手段による判定結果に基づいて、有価物を排出する景品回収排出手段と、を有し、正当性判定手段は、交換情報読出手段によって読み出された交換情報に基づいて、景品発行手段によって特殊景品の発行を受けた遊技者と景品交換手段によって特殊景品を有価物に交換する遊技者とが同一であると判定した場合に、景品回収排出手段に特殊景品を回収させ、さらに有価物を排出させるので、特殊景品の発行を受けた遊技者とその特殊景品を有価物に交換しようとする遊技者が同一遊技者である場合のみ、特殊景品から有価物に交換可能にすることができ、不適法な手段によって取得された特殊景品の交換を防ぐことができる。
【００１９】
第２の発明によれば、交換情報書込手段は、景品発行手段が特殊景品を発行するときに、特殊景品の記憶手段及び交換情報記憶手段の双方に交換情報を書き込み、交換情報読出手段は、交換情報書込手段によって特殊景品の記憶手段及び交換情報記憶手段に書き込まれた交換情報を読み出し、正当性判定手段は、交換情報読出手段によって読み出された両交換情報を比較し、該両交換情報が一致した場合に、景品発行手段によって特殊景品の発行を受けた遊技者と景品交換手段によって特殊景品を有価物に交換する遊技者とが同一であると判定して、景品回収排出手段に特殊景品を回収させ、さらに有価物を排出させるので、遊技者が発行を受けた特殊景品の記憶手段に記憶された交換情報と遊技者の携帯する交換情報記憶手段に記憶された交換情報とを読み出して比較し、該両交換情報が一致した場合のみ、特殊景品から有価物に交換可能にすることができ、不適法な手段によって取得された特殊景品の交換を防ぐことができる。
【００２０】
第３の発明によれば、景品発行手段によって排出される特殊景品が選択されると、抽出された乱数値に基づいて、交換情報書込手段によって書き込む交換情報を決定する交換情報決定手段を備えるので、交換情報の規則性を把握することが困難になり、交換情報が改竄されることを防止することができる。
【００２１】
第４の発明によれば、交換情報記憶手段は、交換情報記憶手段の保持者を特定可能な交換情報を予め記憶し、交換情報書込手段は、景品発行手段が特殊景品を発行するときに、特殊景品の記憶手段に交換情報を書き込み、交換情報読出手段は、交換情報記憶手段に記憶された交換情報及び交換情報書込手段によって特殊景品の記憶手段に書き込まれた交換情報を読み出し、正当性判定手段は、交換情報読出手段によって読み出された両交換情報とを比較し、両交換情報が一致した場合に、景品発行手段によって特殊景品の発行を受けた遊技者と景品交換手段によって特殊景品を有価物に交換する遊技者とが同一であると判定して、景品回収排出手段に特殊景品を回収させ、さらに有価物を排出させるので、遊技者の携帯する交換情報記憶手段に予め記憶されている特殊景品の発行を受けた遊技者である交換情報記憶手段の保持者を特定可能な交換情報と遊技者が発行を受けた特殊景品の記憶手段に景品発行手段によって書き込まれた交換情報とを読み出して比較し、該両交換情報が一致した場合のみ、特殊景品から有価物に交換可能にすることができ、不適法な手段によって取得された特殊景品の交換を防ぐことができる。
【００２２】
第５の発明によれば、特殊景品の記憶手段は、特殊景品を特定可能な交換情報を予め記憶し、交換情報書込手段は、景品発行手段が特殊景品を発行するときに、交換情報記憶手段に交換情報を書き込み、交換情報読出手段は、特殊景品の記憶手段に記憶された交換情報及び交換情報書込手段によって交換情報記憶手段に書き込まれた交換情報を読み出し、正当性判定手段は、交換情報読出手段によって読み出された両交換情報を比較し、両交換情報が一致した場合に、景品発行手段によって特殊景品の発行を受けた遊技者と景品交換手段によって特殊景品を有価物に交換する遊技者とが同一であると判定して、景品回収排出手段に特殊景品を回収させ、さらに有価物を排出させるので、遊技者が発行を受けた特殊景品の記憶手段に予め記憶されている特殊景品を特定可能な交換情報と遊技者が所持する交換情報記憶手段に景品発行手段によって書き込まれた交換情報とを読み出して比較し、該両交換情報が一致した場合のみ、特殊景品から有価物に交換可能にすることができ、不適法な手段によって取得された特殊景品の交換を防ぐことができる。
【００２３】
第６の発明によれば、交換情報書込手段によって交換情報記憶手段及び／又は特殊景品の記憶手段に書き込まれた交換情報を記憶する識別情報記憶手段と、識別情報記憶手段に記憶された交換情報を景品交換手段に送信する第１通信手段と、を備え、景品交換手段は、識別情報記憶手段に記憶された交換情報を第１通信手段から受信する第２通信手段と、第２通信手段によって受信した交換情報を記憶する受信情報記憶手段と、を有し、正当性判定手段は、交換情報読出手段によって読み出された交換情報に基づいて、景品発行手段によって特殊景品の発行を受けた遊技者と景品交換手段によって特殊景品を有価物に交換する遊技者とが同一であると第１次判定をした場合に、さらに、第１次判定に係る交換情報と受信情報記憶手段に記憶された交換情報とを比較し、両交換情報が一致した場合に、景品発行手段によって特殊景品の発行を受けた遊技者と景品交換手段によって特殊景品を有価物に交換する遊技者とが同一であると第２次判定をするので、交換情報を改竄する等の不正を許さないようにすることができ、特殊景品を略奪して交換情報を改竄しても特殊景品から有価物に交換不能にすることができる。よって、不適法な手段によって取得された特殊景品の交換を防ぐことができる。
【００２４】
第７の発明によれば、第２通信手段は、識別情報読出手段によって交換情報が読み出されると、第１通信手段に対して交換情報の送信を要求し、受信情報記憶手段は、第２通信手段が第１通信手段から受信した交換情報を記憶するので、交換情報を一箇所で集中的に管理することができ、セキュリティが向上し、交換情報の改竄を防止することができる。
【００２５】
第８の発明によれば、景品交換手段は、正当性判定手段による比較の結果、両交換情報が一致していないと判定された場合は、交換に係る遊技者を特定可能な遊技者情報を送信し、遊技管理システムは、景品交換手段から送信された遊技者情報を不正交換者情報として記憶する不正交換情報記憶手段を備えるので、過去に不正交換を行った遊技者を特定することができる。よって、例えば、この不正交換者が遊技店に再来店した場合に警戒することが可能となるため、特殊景品の略奪行為等の犯罪の発生を未然に防ぐことができる。
【００２６】
第９の発明によれば、景品交換手段は、正当性判定手段による比較の結果、両交換情報が一致していないと判定された場合は、交換に係る遊技者を特定可能な遊技者情報と共に交換情報を送信し、不正情報記憶手段は、景品交換手段から遊技者情報を受信すると、受信した遊技者情報を不正交換者情報として記憶する前に、交換情報の正当性を判定するので、誤った不正交換者情報の記憶を防止することができる。
【発明を実施するための最良の形態】
【００２７】
以下に本発明の実施の形態を図面に基づいて説明する。
【００２８】
（第１の実施の形態）
図１は、第１の実施の形態の遊技管理システム１の構成図である。
【００２９】
第１の実施の形態の遊技管理システム１は、遊技場１０及び景品交換所２０に遊技及び景品交換に必要な機器が設けられ、遊技場１０と景品交換所２０との間は通信回線によって接続されている。
【００３０】
遊技場１０には、遊技者が遊技によって獲得したパチンコ球等の遊技媒体を計数機１７０によって計数した際の計数情報に基づき、後述する特殊景品４００を取得する景品カウンター１００が設けられている。景品カウンター１００には景品管理コンピュータ１１０が設けられている。また、景品管理コンピュータ１１０には、景品管理コンピュータ１１０の状態等を表示するディスプレイ１４０及び景品管理コンピュータ１１０の状態等を出力するプリンタ１５０が接続されている。また、景品管理コンピュータ１１０には、景品発行端末機１２０が接続されている。景品発行端末機１２０には、カードリーダ／ライタ１３０及び遊技者が遊技により獲得した賞遊技媒体の計数情報等を出力するプリンタ１５５が接続されている。
【００３１】
また、遊技場１０には、ホール管理コンピュータ１１が設けられている。ホール管理コンピュータ１１は、遊技場内部に設けられた遊技関連装置（計数機１７０、券売機（図示省略）、金庫（図示省略）等）及び遊技機１９２から遊技情報（稼動情報）を収集し、各機器の動作状況を監視する。
【００３２】
また、遊技場１０には、遊技機設置島（以後、島と呼ぶ。）１６が、独立して複数設けられている。島１６には、島コントローラ１６０が設けられている。島コントローラ１６０には、計数機１７０及び通信装置１９０が接続されている。通信装置１９０には、遊技機１９２及び遊技媒体貸出装置１９４が接続されている。計数機１７０には、カードリーダ／ライタ１８０が接続されている。
【００３３】
遊技場１０の内部には内部ネットワークが設けられている。遊技場内に設けられた内部ネットワークは、例えば、Ethernet（登録商標、以下同じ）やＵＳＢ（登録商標、以下同じ）接続によって構成されている。該内部ネットワークに接続された機器にはアドレスが設定されており、各機器間の通信（例えば、特定の機器に対するデータの転送や指令信号の送信）や、複数の機器に対する同報通信（例えば、マルチキャストやブロードキャスト）を行うことができる。
【００３４】
具体的には、内部ネットワークは、ホール管理コンピュータ１１、景品管理コンピュータ１１０、島コントローラ１６０、計数機１７０及び通信装置１９０を接続する。
【００３５】
また、遊技場１０とは別の場所に設けられている景品交換所２０には、遊技場１０に設けられたホール管理コンピュータ１１と通信するための通信装置２１０が設けられている。通信装置２１０は、遊技場１０との間に設けられた通信回線を介して、遊技場１０のホール管理コンピュータ１１と接続されており、ホール管理コンピュータ１１との間でデータを送受信する。
【００３６】
ホール管理コンピュータ１１は、ＣＰＵ、プログラム等が予め格納されたＲＯＭ、ＣＰＵの動作時にワークエリアとして使用されるメモリであるＲＡＭ、及び各種データを記憶するハードディスク等の記憶装置（ＨＤＤ）を備える。ＣＰＵ、ＲＯＭ、ＲＡＭ及びＨＤＤはバス（アドレスバス及びデータバス）によって接続されている。
【００３７】
バスには、外部とのデータの入出力を司るネットワーク通信ポート、Ｉ／Ｏポート及び外部ネットワーク通信ポートが接続されている。ネットワーク通信ポートは、所定の通信プロトコル（例えば、ＴＣＰ／ＩＰプロトコル）に従ってデータ通信を行うためのデータ入出力部であり、内部ネットワークと接続されている。Ｉ／Ｏポートには、ホール管理コンピュータ１１で演算処理されたデータを表示する表示装置、及び、ホール管理コンピュータ１１を操作するための入力装置が接続される。
【００３８】
外部ネットワーク通信ポートは、所定の通信プロトコルに従ってデータ通信を行うためのデータ入出力部であり、遊技場の外部に設けられた外部ネットワークと接続されている。この外部ネットワーク通信ポートよって、ホール管理コンピュータ１１は、景品交換所２０に設けられた通信装置２１０等の遊技場１０の外部に設けられた機器と通信をすることができる。
【００３９】
ホール管理コンピュータ１１は、島コントローラ１６０や通信装置１９０を介して、遊技機１９２から遊技情報を収集する。また、ホール管理コンピュータ１１は、島コントローラ１６０や通信装置１９０を介して、遊技媒体貸出装置に内蔵されたカードリーダ／ライタ（図示省略）から、後述する遊技者の持つ会員カード３００に記録されている会員情報を収集する。これによって、ホール管理コンピュータ１１は、各遊技機１９２の動作状態や遊技機１９２で遊技している遊技者の来店頻度や遊技時間などの情報を収集することができる。
【００４０】
島１６に設けられた島コントローラ１６０は、通信装置１９０が収集した遊技機１９２からの遊技情報を中継して、ホール管理コンピュータ１１に送信するデータ転送装置（例えば、ルータ）である。なお、島コントローラ１６０を設けなくても、通信装置１９０を直接ホール管理コンピュータ１１と通信可能に接続してもよい。
【００４１】
通信装置１９０は、遊技機一台毎に設けられ、遊技機１９２及び遊技媒体貸出装置１９４から送信される遊技情報を収集し、島コントローラ１６０を介して当該情報をホール管理コンピュータ１１に送信する。なお、通信装置１９０は、遊技機一台毎に限られず、複数（例えば、２台）の遊技機１９２に１台の通信装置１９０を設けてもよい。この通信装置１９０は、いわゆる呼出ランプを兼ねてもよい。
【００４２】
島１６には、複数台の遊技機１９２と、この遊技機１９２と対を成すように複数の遊技媒体貸出装置１９４とが設けられている。
【００４３】
遊技媒体貸出装置１９４は、プリペイドカード挿入口が設けられている。遊技者が券売機で購入したプリペイドカードをプリペイドカード挿入口に挿入し、遊技機１９２に設けられた貸出ボタンを操作すると、当該プリペイドカードに保有される有価価値の一部又は全部に相当する数の遊技球が、遊技機に設けられ遊技球を貯留するための貯留皿に排出される。なお、遊技媒体貸出装置１９４には、カードリーダ／ライタが内蔵されており、遊技者が遊技機で遊技を行う場合に、会員カード３００に記憶された情報を収集することにより、ホール管理コンピュータ１１に対して、各遊技機１９２の動作状態や遊技機１９２で遊技している遊技者の来店頻度や遊技時間などの情報を送信することができる。
【００４４】
計数機１７０は、遊技機１９２から払い出された遊技球等の遊技媒体を受け入れて計数し、その結果を記憶し、所定の媒体（例えば、計数シート、会員カード３００）に記録して出力する。計数機１７０から受け入れられた遊技媒体は、各計数機１７０が設置された島１６内に回収される。
【００４５】
また、計数機１７０は、制御部１７２及び通信部１７４を備えるが、その詳細な構成は後述する。また、計数機１７０は、島コントローラ１６０を介してホール管理コンピュータ１１、景品管理コンピュータ１１０と接続されている。さらに、計数機１７０には、カードリーダ／ライタ１８０が接続されており、接続されているカードリーダ／ライタ１８０によって、会員カード３００に内蔵されているＩＣタグ３２０に記憶されている会員カードのシリアルナンバ等の情報を読み取る。
【００４６】
また、計数機１７０は、計数機１７０に投入された遊技球の合計球数を計数した計数情報などを、島コントローラ１６０を介して、ホール管理コンピュータ１１、景品管理コンピュータ１１０に送信可能である。
【００４７】
なお、計数機１７０及びカードリーダ／ライタ１８０は、島１６毎に設けられなくてもよい。
【００４８】
景品カウンター１００に設けられた景品管理コンピュータ１１０は、遊技者が遊技の結果獲得した遊技媒体を計数機１７０によって計数した際の計数情報に基づき、特殊景品等の景品を取得するために使用する景品発行端末機１２０から遊技情報（稼動情報）を収集し、景品発行端末機１２０の動作状況を監視する。
【００４９】
景品管理コンピュータ１１０は、制御部１１２、通信部１１４及び記憶部１１６を備えるが、その詳細な構成は後述する。
【００５０】
景品管理コンピュータ１１０は、内部ネットワークと接続されている。また、景品管理コンピュータ１１０は、景品発行端末機１２０、景品管理コンピュータ１１０で演算処理されたデータを表示するディスプレイ１４０、データを印刷するプリンタ１５０及び景品管理コンピュータ１１０を操作するための入力装置と接続されている。
【００５１】
景品発行端末機１２０には、カードリーダ／ライタ１３０が接続されている。景品発行端末機１２０は、カードリーダ／ライタ１３０によって、遊技者の会員カードに記憶されている会員情報（会員番号）のデータを読み書きする。遊技店の店員は、景品発行端末機１２０を操作して、計数機１７０で計数された遊技媒体の計数情報に基づき、景品の交換を行う。さらに、景品発行端末機１２０は、会員カード３００及び遊技者が取得する特殊景品４００に、所定の交換情報を書き込む。
【００５２】
また、遊技場１０とは別の場所に設けられている景品交換所２０には、遊技場１０に設けられたホール管理コンピュータ１１と通信するための通信装置２１０が設けられている。通信装置２１０は、遊技場１との間に設けられた通信回線を介して、遊技場１０のホール管理コンピュータ１１と接続されており、ホール管理コンピュータ１１との間でデータを送受信する。
【００５３】
景品交換所２０に設けられた通信装置２１０には、景品交換端末機２２０が接続されている。また、景品交換端末機２２０には、カードリーダ／ライタ２３０、景品交換端末機２２０の状態を表示するディスプレイ２４０、及びデータを出力するプリンタ２５０が接続されている。なお、ディスプレイ２４０にタッチパネルを設け、景品交換端末機２２０の操作に使用してもよい。
【００５４】
通信装置２１０の設置台数は、景品交換所２０に一台には限られず、景品交換端末機２２０毎、フロア毎又は所定のブロック毎に設けてもよい。
【００５５】
図２は、第１の実施の形態の景品管理を行なう各種装置のブロック図である。
【００５６】
景品管理コンピュータ１１０は、制御部１１２、通信部１１４及び記憶部１１６を備える。制御部１１２は、景品管理コンピュータ１１０で実行される演算処理を行うＣＰＵ及びＣＰＵの動作時にワークエリアとして使用されるメモリであるＲＡＭを備える。
【００５７】
通信部１１４は、ネットワーク通信ポート及びＩ／Ｏポートを備える。ネットワーク通信ポートは、所定の通信プロトコル（例えば、ＴＣＰ／ＩＰプロトコル）に従ってデータ通信をするデータ入出力部であり、内部ネットワークと接続されている。Ｉ／Ｏポートは、景品管理コンピュータ１１０と接続された機器との間でデータ通信をするもので、Ｉ／Ｏポートには、景品発行端末機１２０、景品管理コンピュータ１１０で演算処理されたデータを表示するディスプレイ１４０、データを印刷するプリンタ１５０及び景品管理コンピュータ１１０を操作するための入力装置が接続されている。
【００５８】
記憶部１１６は、プログラム等を予め格納したＲＯＭ、及び各種データを記憶するハードディスク等の記憶装置（ＨＤＤ）を備える。制御部１１２、通信部１１４及び記憶部１１６はバス（アドレスバス及びデータバス）によって接続されている。
【００５９】
計数機１７０は、制御部１７２及び通信部１７４を備える。制御部１７２は、計数機１７０で実行される演算処理を行うＣＰＵ、プログラムや各種データが予め格納されたＲＯＭ、及びＣＰＵの動作時にワークエリアとして使用されるメモリであるＲＡＭを備える。
【００６０】
通信部１７４は、ネットワーク通信ポート及びＩ／Ｏポートを備える。ネットワーク通信ポートは、所定の通信プロトコル（例えば、ＴＣＰ／ＩＰプロトコル）に従ってデータ通信するデータ入出力部であり、島コントローラ１６０を介してホール管理コンピュータ１１と接続されている。Ｉ／Ｏポートは、計数機１７０と接続された機器との間でデータ通信をするもので、カードリーダ／ライタ１８０が接続される。
【００６１】
計数機１７０によって計数された遊技媒体の計数情報は、内部ネットワークを介して景品管理コンピュータ１１０に送られ、景品管理コンピュータ１１０によって管理される。景品管理コンピュータ１１０は、計数機１７０によって読み取られた会員情報を取得する。そして景品管理コンピュータ１１０は、この所定の識別情報（会員情報）と計数情報とを関連付けて、景品管理コンピュータ１１０の記憶部１１６に記憶して管理する。
【００６２】
カードリーダ／ライタ１８０は、コントローラ１８２、送受信部１８４及びアンテナ１８６を備える。送受信部１８４は、アンテナ１８６を介して、会員カード３００のＩＣタグ３２０との間で無線信号によって情報を送受信する。
【００６３】
コントローラ１８２は、カードリーダ／ライタ１８０で実行される演算処理を行うＣＰＵ、プログラムや各種データが予め格納されたＲＯＭ、及びＣＰＵの動作時にワークエリアとして使用されるメモリであるＲＡＭを備える。送受信部１８４は、カードリーダ／ライタ１８０が送信する電波を生成し、カードリーダ／ライタ１８０が受信する電波を復調するために、高周波信号を処理する。アンテナ１８６は、会員カード３００のＩＣタグ３２０との間で無線信号を送受信する。
【００６４】
景品発行端末機１２０は、特殊景品４００を排出し、排出した特殊景品４００に対応する交換情報を会員カード３００及び特殊景品４００に記憶する。景品発行端末機１２０は、制御部１２２、通信部１２４、記憶部１２６及び特殊景品貯蔵・排出部１２８を備える。
【００６５】
制御部１２２は、景品発行端末機１２０で実行される演算処理を行うＣＰＵ、及びＣＰＵの動作時にワークエリアとして使用されるメモリであるＲＡＭを備える。通信部１２４は、Ｉ／Ｏポートを備える。Ｉ／Ｏポートは、景品発行端末機１２０と接続された機器との間でデータ通信をするもので、景品管理コンピュータ１１０及びカードリーダ／ライタ１３０と接続される。なお、通信部１２４が、ネットワーク通信ポートを備え、景品管理コンピュータ１１０との間をＴＣＰ／ＩＰプロトコルに従って通信可能に構成してもよい。
【００６６】
記憶部１２６は、プログラム等を予め格納したＲＯＭ、及び各種データを記憶するハードディスク等の記憶装置（ＨＤＤ）を備える。特殊景品貯蔵・排出部１２８は、特殊景品４００が格納される貯蔵部と、格納された特殊景品４００を排出する排出部１２８とを備える。排出部１２８は、カードリーダ／ライタを備え、格納された特殊景品４００の排出時に、特殊景品４００のＩＣタグ４２０のメモリ４２２に交換情報を書き込む。
【００６７】
カードリーダ／ライタ１３０は、コントローラ１３２、送受信部１３４及びアンテナ１３６を備える。カードリーダ／ライタ１３０の送受信部１３４は、アンテナ１３６を介して、会員カード３００のＩＣタグ３２０との間で無線信号によって情報を送受信する。
【００６８】
コントローラ１３２は、カードリーダ／ライタ１３０で実行される演算処理を行うＣＰＵ、プログラムや各種データが予め格納されたＲＯＭ、及びＣＰＵの動作時にワークエリアとして使用されるメモリであるＲＡＭを備える。送受信部１３４は、カードリーダ／ライタ１３０が送信する電波を生成し、カードリーダ／ライタ１３０が受信する電波を復調するために、高周波信号を処理する。アンテナ１３６は、会員カード３００のＩＣタグ３２０と間で無線信号を送受信する。
【００６９】
景品交換端末機２２０は、特殊景品４００を受け入れ、受け入れた特殊景品４００に対応する有価物を排出する。景品交換端末機２２０は、制御部２２２、通信部２２４、記憶部２２６及び景品貯蔵・排出部２２８を備える。
【００７０】
制御部２２２は、景品発行端末機１２０で実行される演算処理を行うＣＰＵ、及びＣＰＵの動作時にワークエリアとして使用されるメモリであるＲＡＭを備える。通信部２２４は、Ｉ／Ｏポートを備える。Ｉ／Ｏポートは、景品発行端末機１２０と接続された機器との間でデータ通信をする。Ｉ／Ｏポートは、カードリーダ／ライタ１３０と接続され、通信装置２１０を介して景品管理コンピュータ１１０に接続される。なお、通信部２２４が、ネットワーク通信ポートを備え、景品管理コンピュータ１１０との間をＴＣＰ／ＩＰプロトコルに従って通信可能に構成してもよい。
【００７１】
記憶部２２６は、プログラム等を予め格納したＲＯＭ、及び各種データを記憶するハードディスク等の記憶装置（ＨＤＤ）を備える。景品貯蔵・排出部２２８は、景品交換端末機２２０から排出される有価物を格納する。また、受け入れる特殊景品４００を格納する。景品貯蔵・排出部２２８は、カードリーダ／ライタを備え、特殊景品４００の格納時に、特殊景品４００のＩＣタグ４２０のメモリ４２２から交換情報を読み出す。
【００７２】
カードリーダ／ライタ２３０は、コントローラ２３２、送受信部２３４及びアンテナ２３６を備える。送受信部２３４は、アンテナ２３６を介して、会員カード３００のＩＣタグ３２０との間で無線信号によって情報を送受信する。
【００７３】
コントローラ２３２は、カードリーダ／ライタ２３０で実行される演算処理を行うＣＰＵ、プログラムや各種データが予め格納されたＲＯＭ、及びＣＰＵの動作時にワークエリアとして使用されるメモリであるＲＡＭを備える。送受信部２３４は、カードリーダ／ライタ２３０が送信する電波を生成し、カードリーダ／ライタ２３０が受信する電波を復調するために、高周波信号を処理する。アンテナ２３６は、会員カード３００のＩＣタグ３２０と間で無線信号を送受信する。
【００７４】
次に、図３及び図４を用いて第１の実施の形態の会員カード３００及び特殊景品４００について説明する。
【００７５】
図３（ａ）は、会員カード３００の外観図であり、図３（ｂ）は会員カード３００のブロック図である。
【００７６】
図３（ａ）に示すように、会員カード３００の表面には、会員番号（シリアルナンバ）が記されている。また、会員カード３００には、ＩＣタグ３２０が内蔵されている。ＩＣタグ３２０の内蔵位置を、図３（ａ）に点線で示す。会員カード３００には、例えば合成樹脂等の電波透過性を有する材料が用いられており、携帯の便宜のために長方形で厚みが薄いカード状に構成されている。なお、会員カード３００はカード形状ではなく、コイン形状、タグ形状等の他の形状でもよい。
【００７７】
また、図３（ｂ）に示すように、ＩＣタグ３２０は、メモリ３２２、送受信部３２４及びアンテナ３２６を備える。メモリ３２２には、各会員に割り当てられた会員情報（会員番号）や、送受信部３２４が受信したデータが記憶される。送受信部３２４は、アンテナ３２６を介して、カードリーダ／ライタ１３０、１８０、２３０等とデータ通信をする。
【００７８】
会員カード３００をカードリーダ／ライタ２３０等の交信可能範囲（例えば、アンテナ２３６から数ｃｍ以内）に近接させると、ＩＣタグ３２０は、カードリーダ／ライタ２３０等から送信された電波をアンテナ３２６によって受信する。そして、当該電波がアンテナ３２６から送受信部３２４に出力されて一時的な電源となり、ＩＣタグ３２０は動作を開始する。また、送受信部３２４は、カードリーダ／ライタ２３０等から送信された電波を受信すると、メモリに記憶された固有の識別子を読み出して、カードリーダ／ライタ２３０に返信する。
【００７９】
カードリーダ／ライタ２３０は、ＩＣタグ３２０に格納された識別子が正当であるか否かを判定して、会員カードを認証する。その後、カードリーダ／ライタ２３０は、ＩＣタグ３２０に、会員情報読出命令を送信する。会員情報読出命令を受信した送受信部３２４は、メモリ３２２から会員情報を読み出し、読み出した情報をカードリーダ／ライタ２３０に返信する。このようにして、ＩＣタグ３２０に格納された会員情報が、カードリーダ／ライタ２３０によって読み取られる。
【００８０】
図４（ａ）は、特殊景品４００の外観図であり、図４（ｂ）は特殊景品４００のブロック図である。
【００８１】
図４（ａ）に示すように、特殊景品４００の表面には、特殊景品の有する価値が記されている。また、特殊景品４００の中央部には、前述した価値に相当する物品（金地金等）が封入されている。また、特殊景品４００には、ＩＣタグ４２０が内蔵されている。ＩＣタグ４２０の内蔵位置を、図４（ａ）に点線で示す。特殊景品４００には、例えば合成樹脂等の電波透過性を有する材料が用いられており、携帯の便宜のために長方形で厚みが薄いカード状に構成されている。
【００８２】
また、図４（ｂ）に示すように、ＩＣタグ４２０は、メモリ４２２、送受信部４２４及びアンテナ４２６を備える。メモリ４２２には、特殊景品４００の固有番号や、送受信部４２４が受信したデータが記憶される。送受信部４２４は、アンテナ４２６を介して、景品発行端末機１２０の特殊景品貯蔵・排出部１２８に内蔵したカードリーダ／ライタや景品交換端末機２２０の景品貯蔵・排出部２２８に内蔵したカードリーダ／ライタとデータ通信をする。
【００８３】
各々のカードリーダ／ライタは、カードリーダ／ライタ２３０が会員カード３００のＩＣタグ３２０と交信する場合と同様に、ＩＣタグ４２０を認証した後、メモリ４２２に記憶されたデータがカードリーダ／ライタに読み取られる。
【００８４】
会員カードのＩＣタグ３２０は、メモリ３２２、アンテナ３２６、ＣＰＵ（図示省略）及び電源回路（図示省略）を備える。また、特殊景品のＩＣタグ４２０も同様に、アンテナ４２６、メモリ４２２、ＣＰＵ（図示省略）及び電源回路（図示省略）を備える。ＣＰＵは、メモリ３２２又はメモリ４２２に対してデータを読み書きする。本明細書におけるＩＣタグ３２０に搭載されたメモリ３２２及びＩＣタグ４２０に搭載されたメモリ４２２はＲＡＭであって、何度もデータを記憶することができ、また、記憶されたデータは何度も削除することができる。
【００８５】
メモリは、識別情報として予めＩＤ番号が記憶されている。具体的には、会員カード３００のＩＣタグ３２０のメモリ３２２には、各会員カード３００に固有である会員カードのシリアルナンバ（以後、会員情報と呼ぶ。）が記憶されている。また、特殊景品４００のＩＣタグ４２０のメモリ４２２には、各特殊景品に固有であるＩＤ番号（以後、固有番号と呼ぶ。）が記憶されている。
【００８６】
ＩＣタグは、カードリーダ／ライタから発生した電波をアンテナが受信すると、当該電波がアンテナから電源回路に出力されて一時的な電源となり、作動を開始する。また、受信した電波は、アンテナからＣＰＵに出力される。そして、ＣＰＵは、メモリに記憶された会員情報又は固有番号を読み出し、これらの情報を、アンテナを通じてカードリーダ／ライタに返信する。このようにして、各ＩＣタグに格納された会員情報及び固有番号が、カードリーダ／ライタによって読み取られる。
【００８７】
カードリーダ／ライタによって読み取られた会員情報、固有番号は、ホール管理コンピュータ１１で管理され、必要に応じて景品管理コンピュータ１１０や景品交換端末機２２０などに送信される。
【００８８】
カードリーダ／ライタ１８０がＩＣタグ３２０に記憶されている会員情報を読み取れない場合は、計数機１７０は、遊技者により会員カード３００に基づいて、遊技球の計数情報の記録の要求はされていないと判定する。
【００８９】
カードリーダ／ライタ１８０がＩＣタグ３２０に記憶されている会員情報を読み取った場合は、計数機１７０は、遊技者により会員カード３００に基づいて、遊技球の計数情報の記録の要求がされていると判定する。
【００９０】
カードリーダ／ライタ１３０がＩＣタグ３２０に記憶されている会員情報を読み取れない場合は、景品発行端末機１２０は、遊技者により会員カード３００に基づいて、特殊景品４００の発行の要求はされていないと判定する。
【００９１】
カードリーダ／ライタ１３０がＩＣタグ３２０に記憶されている会員情報を読み取った場合は、景品発行端末機１２０は、遊技者により会員カード３００に基づいて、特殊景品４００の発行の要求がされていると判定する。
【００９２】
カードリーダ／ライタ２３０がＩＣタグ３２０に記憶されている会員情報を読み取れない場合であって、かつ、景品交換端末機２２０の景品貯蔵・排出部２２８（図２参照）に備えられたカードリーダ／ライタ（図示省略）がＩＣタグ４２０に記憶されている固有番号を読み取れない場合は、景品交換端末機２２０は、遊技者により会員カード３００及び特殊景品４００に基づいて、景品交換の要求はされていないと判定する。
【００９３】
カードリーダ／ライタ２３０がＩＣタグ３２０に記憶されている会員情報を読み取り、かつ、景品交換端末機２２０の景品貯蔵・排出部２２８に備えられたカードリーダ／ライタがＩＣタグ４２０に記憶されている固有番号を読み取った場合は、景品交換端末機２２０は、遊技者により会員カード３００及び特殊景品４００に基づいて、景品交換の要求がされていると判定する。
【００９４】
カードリーダ／ライタ２３０がＩＣタグ３２０に記憶されている会員情報を読み取ったが、景品交換端末機２２０の景品貯蔵・排出部２２８に備えられたカードリーダ／ライタがＩＣタグ４２０に記憶されている固有番号を読み取れない場合、あるいはカードリーダ／ライタ２３０がＩＣタグ３２０に記憶されている会員情報を読み取れないが、景品交換端末機２２０の景品貯蔵・排出部２２８に備えられたカードリーダ／ライタがＩＣタグ４２０に記憶されている固有番号を読み取った場合は、景品交換端末機２２０は、遊技者により会員カード３００又は特殊景品４００に基づいて、景品交換の要求がされているが、会員カード３００又は特殊景品４００のいずれか一方しか認識することができず、景品交換が不能であると判定する。
【００９５】
次に、第１の実施の形態の遊技管理システムの動作の概要を説明する。
【００９６】
遊技者は遊技を終えると、計数機１７０で球等の遊技媒体を計数する。計数機１７０によって計数された遊技媒体数は、会員カード３００のＩＣタグ３２０のメモリ３２２に記憶されている会員情報と共に景品管理コンピュータ１１０に送信される。その後、遊技者は、会員カード３００を持って景品カウンター１００に移動し、遊技店の店員は、会員カード３００を景品発行端末機１２０（カードリーダ／ライタ１３０）に読み取らせる。
【００９７】
景品発行端末機１２０は、会員カード３００から取得した会員情報を景品管理コンピュータ１１０に送信し、計数情報を取得する。その後、景品発行端末機１２０は、取得した計数情報に基づいて、交換情報が記憶された特殊景品４００を排出する。このとき、会員カード３００にも交換情報を記憶する。
【００９８】
その後、遊技者は会員カード３００及び特殊景品４００を持って景品交換所２０に移動する。景品交換端末機２２０は、遊技者が持参した会員カード３００及び特殊景品４００から交換情報を読み出し、会員カード３００に記憶された交換情報と特殊景品４００に記憶された交換情報とが一致しているかを判定する。そして、双方の交換情報が一致していると判定した場合は、特殊景品に対応した有価物（現金など）を排出する。
【００９９】
図５は、本発明の第１の実施の形態の会員カード３００及び特殊景品４００に記憶される交換情報の一例を示した図である。
【０１００】
ここで、交換情報とは、景品発行手段（景品発行端末機１２０）によって発行された特殊景品（特殊景品４００）と、この特殊景品の発行を受けた遊技者（景品発行端末機１２０によって発行された特殊景品４００から換金しようとする遊技者との関連を特定する情報である。交換情報は、前述した会員情報（会員番号）や、特殊景品４００の固有番号を用いてもよく、また、景品管理コンピュータ１１０等がランダムに生成することとしてもよい。
【０１０１】
第１の実施の形態では、景品発行端末機１２０が特殊景品４００の固有番号を取得すると、景品管理コンピュータ１１０が０〜９９の間の乱数値を生成する。景品管理コンピュータ１１０は、生成された乱数値に基づいて、英文字及び数字を組み合わせた交換ナンバ（交換情報）を決定する（図５参照）。
【０１０２】
例えば、ランダムに生成された乱数値が“０〜１９”の範囲にある場合は、交換ナンバは“ＡＸＬＲ３ＹＵ６”となり、生成された乱数値が“２０〜３９”の範囲にある場合には、交換ナンバは“ＨＰＳ９ＡＢ４Ｅ”となる。以下同様に、生成された乱数値に応じて交換ナンバが定められる。
【０１０３】
図６は、本発明の第１の実施の形態の会員カード３００及び特殊景品４００に記憶される交換情報の別の例を示した図である。
【０１０４】
例えば、交換情報は、図６に示す例のように、景品発行端末機１２０が特殊景品４００の固有番号を取得すると、景品管理コンピュータ１１０が０〜９９の間の乱数値を生成する。景品管理コンピュータ１１０は、生成された乱数値に基づいて、英文字及び数字を組み合わせた文字列を決定する。さらに、遊技者が所持している会員カード３００に記憶されている会員カードのシリアルナンバと、決定した文字列とを組み合わせて交換ナンバ（交換情報）を決定する。
【０１０５】
例えば、ランダムに生成された乱数値が“０〜１９”の範囲にある場合は、交換ナンバは“□□□□□□□□ＡＸＬＲ３ＹＵ６”（“□□□□□□□□”は会員カードのシリアルナンバ）となり、生成された乱数値が“２０〜３９”の範囲にある場合には、交換ナンバは“□□□□□□□□ＨＰＳ９ＡＢ４Ｅ”となる。以下同様に、生成された乱数値及び会員カードのシリアルナンバに応じて交換ナンバが定められる。
【０１０６】
図７は、第１の実施の形態の景品発行端末機１２０及び景品交換端末機２２０の処理手順を示すシーケンス図である。Ｓ１１０〜Ｓ１１８は景品発行端末機１２０の制御部１２２によって、Ｓ２１０〜Ｓ２１７は景品交換端末機２２０の制御部２２２によってそれぞれ実行される。
【０１０７】
遊技者は遊技を終えると、計数機１７０で球やメダル等の遊技媒体を計数する。具体的には、計数機１７０に接続されたカードリーダ／ライタ１８０に会員カード３００が装着される。そして、計数機１７０は、会員カード３００のメモリ３２２から、会員情報を読み出す。計数機１７０が取得した計数情報及び会員情報は、景品管理コンピュータ１１０に送信される。景品管理コンピュータ１１０は、計数情報及び会員情報を関連付けて管理する。その後、遊技者は会員カード３００を持って景品カウンター１００に移動する。これ以降に行なわれる景品発行端末機１２０及び景品交換端末機２２０の処理手順を、図７のシーケンス図に沿って以下に説明する。
【０１０８】
景品カウンター１００では、遊技店の店員によって遊技者が持参した会員カード３００が景品発行端末機１２０に接続されたカードリーダ／ライタ１３０に装着される。景品発行端末機１２０は、この装着によって会員カード３００を取得する（Ｓ１１０）。
【０１０９】
次に、景品発行端末機１２０は、景品発行端末機１２０に接続されたカードリーダ／ライタ１３０によって、会員カード３００のＩＣタグ３２０のメモリ３２２に記憶されている会員情報（会員番号）を取得する（Ｓ１１２）。
【０１１０】
次に、景品発行端末機１２０は、取得した会員情報を景品管理コンピュータ１１０に送信し、景品管理コンピュータ１１０に記憶されている計数情報を取得する（Ｓ１１３）。
【０１１１】
次に、景品発行端末機１２０は、この計数情報に基づいて排出する特殊景品４００を選択する（Ｓ１１４）。
【０１１２】
景品発行端末機１２０によって排出される特殊景品４００が選択されると、景品管理コンピュータ１１０は、会員カード３００のＩＣタグ３２０のメモリ３２２及び特殊景品４００のＩＣタグ４２０のメモリ４２２に記憶する交換情報を決定する。この交換情報の決定の手順は、交換情報の具体例において前述したとおりである（図５、図６参照）。そして、景品管理コンピュータ１１０は、景品発行端末機１２０に、決定した交換情報を送信する。
【０１１３】
そして景品発行端末機１２０は、この決定された交換情報を、景品管理コンピュータ１１０から取得し（Ｓ１１５）、会員カード３００のＩＣタグ３２０のメモリ３２２及び特殊景品４００のＩＣタグ４２０のメモリ４２２に記憶し（Ｓ１１７）、特殊景品４００を排出する（Ｓ１１８）。
【０１１４】
遊技者は、景品発行端末機１２０から排出された特殊景品４００を取得し（Ｓ３１２）、会員カード３００及び特殊景品４００を持って景品交換所２０に移動し（Ｓ３１３）、会員カード３００及び特殊景品４００を景品交換端末機２２０に装着する（Ｓ３１４）。
【０１１５】
景品交換端末機２２０は、遊技者によって装着された会員カード３００及び特殊景品４００を取得すると（Ｓ２１０）、会員カード３００のＩＣタグ３２０のメモリ３２２に記憶された交換情報と、特殊景品４００のＩＣタグ４２０のメモリ４２２に記憶された交換情報とを読み出し（Ｓ２１２）、会員カード３００に記憶された交換情報と特殊景品４００に記憶された交換情報とが一致しているか否かを比較判定する（Ｓ２１３）。
【０１１６】
景品交換端末機２２０が、双方の交換情報が一致していると判定した場合は、特殊景品４００は当該会員カード３００の保持者によって交換されたものなので、会員カード３００及び特殊景品４００に記憶されている交換情報を消去し（Ｓ２１５）、特殊景品に対応した有価物（現金など）を排出して（Ｓ２１６）、特殊景品４００を回収する（Ｓ２１７）。これらの処理によって、遊技者は有価物を取得することができる（Ｓ３１５）。その後、会員カード３００は、景品交換端末機２２０から排出され、遊技者に戻される。
【０１１７】
一方、景品交換端末機２２０が、双方の交換情報が一致していないと判定した場合には、特殊景品４００は当該会員カード３００の保持者によって交換されたものではないので、エラーである旨を報知して（Ｓ２１４）、会員カード３００及び特殊景品４００に記憶されている交換情報を消去し（Ｓ２１５）、特殊景品４００を回収する（Ｓ２１７）。
【０１１８】
以上説明したように、第１の実施の形態では、特殊景品４００に記憶された交換情報と会員カード３００に記憶された交換情報が一致するか否かによって、その特殊景品４００を交換しようとしている遊技者が正規な遊技者であるか否か、すなわち、特殊景品４００の正当性を判断する。よって、特殊景品４００の発行を受けた遊技者と、その特殊景品４００を有価物（例えば、現金等）に交換しようとする遊技者とが同一遊技者である場合のみ、特殊景品４００から有価物に交換することができ、略奪行為等の犯罪によって取得された特殊景品４００の交換を防ぐことができる。
【０１１９】
さらに、特殊景品４００及び会員カード３００に記憶する交換情報は、乱数値に基づいて決定されるので、交換情報の規則性を把握することが困難になり、交換情報が改竄されることを防止することができる。
【０１２０】
さらに、会員カード３００及び特殊景品４００は、交換情報をＩＣタグ３２０、４２０に記憶するので、記憶される交換情報を容易に読み込むことができるとともに、この交換情報が改竄されることを防止することができ、セキュリティを向上させることができる。
【０１２１】
なお、本実施の形態では、ＩＣタグを使用することによって、会員カード３００及び特殊景品４００を、景品発行端末機１２０や景品交換端末機２２０と非接触状態においても通信可能としたが、ＩＣタグを用いずに、接触型のＩＣカードや磁気カードなどの記憶手段を用いてもよい。
【０１２２】
また、会員カード３００及び特殊景品４００はカード形状ではなく、コイン形、タグ形、ストラップ形又はキーホルダー形等、他の形状であって何らかの記憶装置を備えていればよい。
【０１２３】
また、本実施の形態では、ステップＳ２１３の交換情報の比較の結果の如何にかかわらず、ステップＳ２１５において、会員カード３００のＩＣタグ３２０のメモリ３２２及び特殊景品４００のＩＣタグ４２０のメモリ４２２に記憶されている会員情報を消去しているが、ステップＳ２１３において交換情報が一致していない場合には、景品交換端末機２２０が会員カード３００及び特殊景品４００の交換情報の記憶内容を消去せず、会員カード３００及び特殊景品４００を証拠として回収してもよい。
【０１２４】
（第２の実施の形態）
次に、本発明の第２の実施の形態について説明する。
【０１２５】
第２の実施の形態は、景品発行端末機１２０が、会員カード３００のＩＣタグ３２０のメモリ３２２に記憶された会員情報（会員番号）を取得し、取得した会員情報を交換情報として、特殊景品４００のＩＣタグ４２０のメモリ４２２に記憶する点で、前述した第１の実施の形態と異なる。
【０１２６】
図８は、第２の実施の形態の景品発行端末機１２０及び景品交換端末機２２０の処理手順を示すシーケンス図である。Ｓ１２０〜Ｓ１２８は景品発行端末機１２０の制御部１２２によって、Ｓ２２０〜Ｓ２２７は景品交換端末機２２０の制御部２２２によってそれぞれ実行される。
【０１２７】
景品カウンター１００では、遊技店の店員によって遊技者が持参した会員カード３００が景品発行端末機１２０に接続されたカードリーダ／ライタ１３０に装着される。景品発行端末機１２０は、この装着によって会員カード３００を取得する（Ｓ１２０）。
【０１２８】
次に、景品発行端末機１２０は、景品発行端末機１２０に接続されたカードリーダ／ライタ１３０によって、会員カード３００のＩＣタグ３２０のメモリ３２２に記憶されている会員情報（会員番号）を取得する（Ｓ１２２）。
【０１２９】
次に、景品発行端末機１２０は、取得した会員情報を景品管理コンピュータ１１０に送信し、景品管理コンピュータ１１０に記憶されている計数情報を取得する（Ｓ１２３）。
【０１３０】
次に、景品発行端末機１２０は、この計数情報に基づいて排出する特殊景品４００を選択する（Ｓ１２４）。
【０１３１】
景品発行端末機１２０によって排出される特殊景品４００が選択されると、景品管理コンピュータ１１０は、会員情報を交換情報として特殊景品４００のＩＣタグ４２０のメモリ４２２に記憶し（Ｓ１２７）、特殊景品４００を排出する（Ｓ１２８）。
【０１３２】
遊技者は、景品発行端末機１２０から排出された特殊景品４００を取得し（Ｓ３２２）、会員カード３００及び特殊景品４００を持って景品交換所２０に移動し（Ｓ３２３）、会員カード３００及び特殊景品４００を景品交換端末機２２０に装着する（Ｓ３２４）。
【０１３３】
景品交換端末機２２０は、遊技者によって装着された会員カード３００及び特殊景品４００を取得すると（Ｓ２２０）、会員カード３００のＩＣタグ３２０のメモリ３２２に記憶された交換情報である会員情報と、特殊景品４００のＩＣタグ４２０のメモリ４２２に記憶された交換情報である会員情報とを読み出し（Ｓ２２２）、会員カード３００に記憶された会員情報と特殊景品４００に記憶された会員情報とが一致しているか否かを比較判定する（Ｓ２２３）。
【０１３４】
景品交換端末機２２０が、双方の会員情報が一致していると判定した場合は、特殊景品４００は当該会員カード３００の保持者によって交換されたものなので、特殊景品４００に記憶されている会員情報を消去し（Ｓ２２５）、特殊景品に対応した有価物（現金など）を排出して（Ｓ２２６）、特殊景品４００を回収する（Ｓ２２７）。これらの処理によって、遊技者は有価物を取得することができる（Ｓ３２５）。その後、会員カード３００は、景品交換端末機２２０から排出され、遊技者に戻される。
【０１３５】
一方、景品交換端末機２２０が、双方の会員情報が一致していないと判定した場合には、特殊景品４００は当該会員カード３００の保持者によって交換されたものはないので、エラーである旨を報知して（Ｓ２２４）、特殊景品４００に記憶されている交換情報を消去し（Ｓ２２５）、特殊景品４００を回収する（Ｓ２２７）。
【０１３６】
以上説明したように、第２の実施の形態では、特殊景品４００に記憶された会員情報と会員カード３００に記憶された会員情報が一致するか否かによって、その特殊景品４００を交換しようとしている遊技者が正規な遊技者であるか否か、すなわち、特殊景品４００の正当性を判断する。さらに、景品発行端末機１２０の特殊景品貯蔵・排出部１２８に備えられたカードリーダ／ライタ（図示省略）は、景品発行端末機１２０が特殊景品を発行するときに、特殊景品４００のＩＣタグ４２０のメモリ４２２のみに会員カード３００の保持者を特定可能な交換情報としての会員情報を書き込むので、会員カード３００に新たに交換情報を記憶させる必要がないため、会員カード３００のＩＣタグ３２０のメモリ３２２に書き込む手順を省略でき、手順を簡略化できる。
【０１３７】
なお、本実施の形態では、ステップＳ２２３の会員情報の比較の結果の如何にかかわらず、ステップＳ２２５において、特殊景品４００のＩＣタグ４２０のメモリ４２２に記憶されている会員情報を消去しているが、ステップＳ２２３において会員情報が一致していない場合には、景品交換端末機２２０が特殊景品４００に記憶されている会員情報を消去せず、会員カード３００及び特殊景品４００を証拠として回収してもよい。
【０１３８】
（第３の実施の形態）
次に、本発明の第３の実施の形態について説明する。
【０１３９】
第３の実施の形態は、前述した第２の実施の形態の変形例であり、景品発行端末機１２０が、特殊景品４００のＩＣタグ４２０のメモリ４２２に記憶された、特殊景品４００を特定する情報である、特殊景品４００の固有番号を取得し、取得した固有番号を交換情報として、会員カード３００のＩＣタグ３２０のメモリ３２２に記憶する点で、前述した第２の実施の形態と異なる。
【０１４０】
図９は、第３の実施の形態の景品発行端末機１２０及び景品交換端末機２２０の処理手順を示すシーケンス図である。Ｓ１３０〜Ｓ１３８は景品発行端末機１２０の制御部１２２によって、Ｓ２３０〜Ｓ２３７は景品交換端末機２２０の制御部２２２によってそれぞれ実行される。
【０１４１】
景品カウンター１００では、遊技店の店員によって遊技者が持参した会員カード３００が景品発行端末機１２０に接続されたカードリーダ／ライタ１３０に装着される。景品発行端末機１２０は、装着された会員カード３００から会員情報（会員番号）を取得する（Ｓ１３０）。
【０１４２】
次に、景品発行端末機１２０は、取得した会員情報を景品管理コンピュータ１１０に送信し、景品管理コンピュータ１１０に記憶されている計数情報を取得する（Ｓ１３３）。
【０１４３】
次に、景品発行端末機１２０は、この計数情報に基づいて排出する特殊景品４００を選択する（Ｓ１３４）。
【０１４４】
次に、景品発行端末機１２０は、景品発行端末機１２０の特殊景品貯蔵・排出部１２８に備えられたカードリーダ／ライタ（図示省略）を介して、特殊景品４００のＩＣタグ４２０のメモリ４２２に記憶されている前述した固有番号を取得する（Ｓ１３５）。
【０１４５】
次に、これを交換情報として景品発行端末機１２０の記憶部１２６に記憶する。そして、景品発行端末機１２０は、この固有番号を交換情報として会員カード３００のＩＣタグ３２０のメモリ３２２に記憶し（Ｓ１３７）、特殊景品４００を排出する（Ｓ１３８）。
【０１４６】
遊技者は、景品発行端末機１２０から排出された特殊景品４００を取得し（Ｓ３３２）、会員カード３００及び特殊景品４００を持って景品交換所２０に移動し（Ｓ３３３）、会員カード３００及び特殊景品４００を景品交換端末機２２０に装着する（Ｓ３３４）。
【０１４７】
景品交換端末機２２０は、遊技者によって装着された会員カード３００及び特殊景品４００を取得すると（Ｓ２３０）、会員カード３００のＩＣタグ３２０のメモリ３２２に記憶された固有番号と、特殊景品４００のＩＣタグ４２０のメモリ４２２に記憶された固有情報とを読み出し（Ｓ２３２）、会員カード３００に記憶された固有番号と特殊景品４００に記憶された固有番号が一致しているか否かを比較判定する（Ｓ２３３）。
【０１４８】
景品交換端末機２２０が、双方の固有番号が一致していると判定した場合は、特殊景品４００は当該会員カード３００の保持者によって交換されたものなので、会員カード３００のＩＣタグ３２０のメモリ３２２に記憶されている固有番号を消去し（Ｓ２３５）、特殊景品に対応した有価物（現金など）を排出して（Ｓ２３６）、特殊景品４００を回収する（Ｓ２３７）。これらの処理によって、遊技者は有価物を取得することができる（Ｓ３３５）。その後、会員カード３００は、景品交換端末機２２０から排出され、遊技者に戻される。
【０１４９】
一方、景品交換端末機２２０が、双方の固有番号交換情報が一致していないと判定した場合には、特殊景品４００は当該会員カード３００の保持者によって交換されたものではないので、エラーである旨を報知して（Ｓ２３４）、会員カード３００のＩＣタグ３２０のメモリ３２２に記憶されている固有番号を消去し（Ｓ２３５）、特殊景品４００を回収する（Ｓ２３７）。
【０１５０】
以上説明したように、第３の実施の形態では、特殊景品４００に記憶された固有番号と会員カード３００に記憶された固有番号が一致するか否かによって、その特殊景品４００を交換しようとしている遊技者が正規な遊技者であるか否か、すなわち、特殊景品４００の正当性を判断する。さらに、景品発行端末機１２０に接続されたカードリーダ／ライタ１３０は、景品発行端末機１２０が特殊景品４００を発行するときに、会員カード３００のＩＣタグ３２０のメモリ３２２のみに特殊景品４００を特定可能な交換情報としての固有番号を書き込むので、特殊景品４００に新たに交換情報を記憶させる必要がないため、特殊景品４００のＩＣタグ４２０のメモリ４２２に書き込む手順を省略でき、手順を簡略化できる。
【０１５１】
なお、本実施の形態では、ステップＳ２３３の交換情報の比較の結果の如何にかかわらず、ステップＳ２３５において、会員カード３００のＩＣタグ３２０のメモリ３２２に記憶されている固有番号を消去しているが、ステップＳ２３３において交換情報が一致していない場合には、景品交換端末機２２０が会員カード３００の固有番号を消去せず、会員カード３００及び特殊景品４００を証拠として回収してもよい。
【０１５２】
（第４の実施の形態）
次に、本発明の第４の実施の形態について説明する。
【０１５３】
第４の実施の形態は、前述した第１の実施の形態の変形例であり、景品発行端末機１２０が、会員カード３００のＩＣタグ３２０のメモリ３２２に記憶された会員情報（会員番号）と、特殊景品４００のＩＣタグ４２０のメモリ４２２に記憶された特殊景品４００の固有番号とを景品管理コンピュータ１１０に送信し、景品管理コンピュータ１１０によって決定された交換情報を、会員カード３００のＩＣタグ３２０のメモリ３２２及び特殊景品４００のＩＣタグ４２０のメモリ４２２に記憶する。さらに、景品交換端末機２２０が、会員カード３００に記憶された交換情報と、特殊景品４００に記憶された交換情報とを比較して一致した場合、この一致した交換情報と前述した景品管理コンピュータが決定した交換情報を比較する点で、前述した第１の実施の形態と異なる。
【０１５４】
図１０は、第４の実施の形態の景品発行端末機１２０及び景品交換端末機２２０の処理手順を示すシーケンス図である。Ｓ１４０〜Ｓ１４９は景品発行端末機１２０の制御部１２２によって、Ｓ２４０〜Ｓ２４９は景品交換端末機２２０の制御部２２２によって、Ｓ４４０〜Ｓ４４４は景品管理コンピュータ１１０の制御部１１２によってそれぞれ実行される。
【０１５５】
景品カウンター１００では、遊技店の店員によって遊技者が持参した会員カード３００が景品発行端末機１２０に接続されたカードリーダ／ライタ１３０に装着される。景品発行端末機１２０は、この装着によって会員カード３００を取得する（Ｓ１４０）。
【０１５６】
次に、景品発行端末機１２０は、景品発行端末機１２０に接続されたカードリーダ／ライタ１３０によって、会員カード３００のＩＣタグ３２０のメモリ３２２に記憶されている会員情報（会員番号）を取得する（Ｓ１４２）。
【０１５７】
次に景品発行端末機１２０は、取得した会員情報を景品管理コンピュータ１１０に送信し、景品管理コンピュータ１１０に記憶されている計数情報を取得する（Ｓ１４３）。
【０１５８】
次に、景品発行端末機１２０は、この計数情報に基づいて排出する特殊景品４００を選択した後、景品発行端末機１２０の特殊景品貯蔵・排出部１２８に備えられたカードリーダ／ライタ（図示省略）を介して、特殊景品４００のＩＣタグ４２０のメモリ４２２に記憶されている前述した固有番号を取得する（Ｓ１４４）。
【０１５９】
次に、景品発行端末機１２０は、ステップＳ１４２で取得した会員カード３００の会員情報及び排出する特殊景品４００の固有番号を、景品管理コンピュータ１１０に送信する（Ｓ１４５）。
【０１６０】
景品管理コンピュータ１１０は、景品発行端末機１２０によって送信される、会員カード３００の会員情報及び特殊景品４００の固有番号を受信すると（Ｓ４４０）、これらを景品管理コンピュータ１１０の記憶部１１６に記憶し、会員カード３００のＩＣタグ３２０のメモリ３２２及び特殊景品４００のＩＣタグ４２０のメモリ４２２に記憶する交換情報を決定して景品管理コンピュータ１１０の記憶部１１６に記憶し、決定した交換情報を景品発行端末機１２０に送信する（Ｓ４４１）。この交換情報の決定の手順は、交換情報の具体例において前述したとおりである（図５、図６参照）。
【０１６１】
そして景品発行端末機１２０は、この決定された交換情報を、景品管理コンピュータ１１０から受信し（Ｓ１４６）、会員カード３００のＩＣタグ３２０のメモリ３２２及び特殊景品４００のＩＣタグ４２０のメモリ４２２に記憶し（Ｓ１４７）、特殊景品４００を排出する（Ｓ１４９）。
【０１６２】
遊技者は、景品発行端末機１２０から排出された特殊景品４００を取得し（Ｓ３４２）、会員カード３００及び特殊景品４００を持って景品交換所２０に移動し（Ｓ３４３）、会員カード３００及び特殊景品４００を景品交換端末機２２０に装着する（Ｓ３４４）。
【０１６３】
景品交換端末機２２０は、遊技者によって装着された会員カード３００及び特殊景品４００を取得すると（Ｓ２４０）、遊技者によって持ち込まれた特殊景品４００のＩＣタグ４２０のメモリ４２２に記憶された固有番号を読み出し（Ｓ２４１）、特殊景品４００の固有番号に対応する交換情報の送信を景品管理コンピュータ１１０に要求する（Ｓ２４２）。
【０１６４】
一方、景品管理コンピュータ１１０は、景品交換端末機２２０からの特殊景品４００の固有番号に対応して決定した交換情報の送信の要求を受信すると（Ｓ４４２）、遊技者によって持ち込まれた特殊景品４００の固有番号に対応する交換情報を景品管理コンピュータ１１０の記憶部１１６から読み出して、景品交換端末機２２０に送信する（Ｓ４４４）。
【０１６５】
景品交換端末機２２０は、景品管理コンピュータ１１０に要求した交換情報を受信すると（Ｓ２４３）、この受信した交換情報を記憶部２２６に記憶する（Ｓ２４４）。
【０１６６】
次に、景品交換端末機２２０は、会員カード３００のＩＣタグ３２０のメモリ３２２に記憶されている交換情報及び特殊景品４００のＩＣタグ４２０のメモリ４２２に記憶されている交換情報を読み込み、景品交換端末機２２０の記憶部２２６に記憶する（Ｓ２４５）。
【０１６７】
次に、景品交換端末機２２０は、会員カード３００のＩＣタグ３２０のメモリ３２２に記憶されている交換情報と特殊景品４００のＩＣタグ４２０のメモリ４２２に記憶されている交換情報が一致しているか否かを比較判定する（Ｓ２４６）。景品交換端末機２２０が、会員カード３００と特殊景品４００の双方の交換情報が一致していると判定した場合は、ステップＳ２４７に処理を進める。
【０１６８】
一方、景品交換端末機２２０が、会員カード３００と特殊景品４００の双方の交換情報が一致していないと判定した場合は、特殊景品４００は当該会員カード３００の保持者によって交換されたものではないので、景品交換端末機２２０は、交換情報が一致しない旨のエラーを報知し（Ｓ２４８）、景品交換端末機２２０は、会員カード３００及び特殊景品４００に記憶されている交換情報を消去し（Ｓ２４９）、前述した実施の形態と同様に、有価物を排出することなく、特殊景品４００を回収する。この処理によって、遊技者が正当でない場合は、有価物を取得することができない。
【０１６９】
次に、景品交換端末機２２０は、会員カード３００及び特殊景品で一致していた交換情報と景品管理コンピュータ１１０から送信された交換情報とが一致しているか否かを比較判定する（Ｓ２４７）。景品交換端末機２２０が、ステップＳ２４６において一致した会員カード３００及び特殊景品４００の交換情報が、ステップＳ２４３において受信し、景品交換端末機２２０の記憶部２２６に記憶していた交換情報と一致していると判定した場合は、特殊景品４００は当該会員カード３００の保持者によって交換されたものなので、景品交換端末機２２０は、会員カード３００及び特殊景品４００に記憶されている交換情報を消去する（Ｓ２４９）。
【０１７０】
その後は、前述した実施の形態と同様に、景品交換端末機２２０は、交換情報が一致した場合は、特殊景品に対応した有価物（現金など）を排出して、特殊景品４００を回収する（図示省略）。この処理によって、遊技者が正当である場合は、有価物を取得することができる。その後、会員カード３００は遊技者に戻される。
【０１７１】
一方、景品交換端末機２２０が、ステップＳ２４６において一致した会員カード３００及び特殊景品４００の交換情報が、ステップＳ２４３において受信し、景品交換端末機２２０の記憶部２２６に記憶していた交換情報と一致していないと判定した場合は（Ｓ２４７）、会員カード３００と特殊景品４００の双方の交換情報が一致していないと判定した場合と同様に、特殊景品４００は当該会員カード３００の保持者によって交換されたものではないので、景品交換端末機２２０は、交換情報が一致しない旨のエラーを報知し（Ｓ２４８）、景品交換端末機２２０は、会員カード３００及び特殊景品４００に記憶されている交換情報を消去し（Ｓ２４９）、前述した実施の形態と同様に、有価物を排出することなく、特殊景品４００を回収する。この処理によって、遊技者が正当でない場合は、有価物を取得することができない。
【０１７２】
以上説明したように、第４の実施の形態では、会員カード３００と特殊景品４００に記憶された情報を直接判定するのみでなく、景品管理コンピュータ１１０に記憶された交換情報とも比較判定を行うことで、会員カード３００や特殊景品４００に記憶された交換情報を改竄する等の不正行為を検知でき、セキュリティを向上させることができる。
【０１７３】
さらに、景品管理コンピュータ１１０から予め景品交換端末機２２０に交換情報を送信するのではなく、特殊景品４００等が景品交換端末機２２０に装着された段階で、景品管理コンピュータ１１０から交換情報を送信するため、景品交換端末機２２０の設置環境にかかわらず、交換情報が外部に漏れる機会を減少することによって、セキュリティを向上させることができる。
【０１７４】
また、カードリーダ／ライタ２３０によって交換情報が読み出されたことに基づいて景品交換端末機２２０が景品管理コンピュータ１１０に対して交換情報の送信を要求し、景品交換端末機２２０の記憶部２２６は、この要求に応じて景品管理コンピュータ１１０から送信された交換情報を記憶するので、交換情報を景品交換端末機２２０に蓄積せず、交換情報の管理を特定箇所に集中させることによって、セキュリティを低下させることなく交換情報を改竄の防止の効果を強化することができる。
【０１７５】
なお、本実施の形態では、ステップＳ２４６又はステップＳ２４７において交換情報が一致していない場合には、会員カード３００及び特殊景品４００の記憶を消去しているが、景品交換端末機２２０が会員カード３００及び特殊景品４００の交換情報の記憶内容を消去せず、会員カード３００及び特殊景品４００を証拠として回収してもよい。
【０１７６】
（第５の実施の形態）
次に、本発明の第５の実施の形態について説明する。
【０１７７】
第５の実施の形態は、前述した第４の実施の形態の変形例であり、景品交換端末機２２０による判定の結果、交換情報が一致していないと判定された場合に、景品交換端末機２２０から景品管理コンピュータ１１０に対して、景品管理コンピュータ１１０から送信された交換情報と会員カード３００の会員情報とを送信し、景品管理コンピュータ１１０では受信した会員情報を記憶部１１６の不正交換者リストに記憶する点で、前述した第４の実施の形態と異なる。
【０１７８】
図１１は、第５の実施の形態の景品発行端末機１２０及び景品交換端末機２２０の処理手順の一部を示すシーケンス図である。Ｓ２５１〜Ｓ２５７は景品交換端末機２２０の制御部２２２によって、Ｓ４５０〜Ｓ４５２は景品管理コンピュータ１１０の制御部１１２によってそれぞれ実行される。
【０１７９】
景品交換端末機２２０は、会員カード３００のＩＣタグ３２０のメモリ３２２に記憶されている交換情報と特殊景品４００のＩＣタグ４２０のメモリ４２２に記憶されている交換情報が一致しているか否かを比較判定する（Ｓ２５１）。景品交換端末機２２０が、会員カード３００と特殊景品４００の双方の交換情報が一致していると判定した場合は、ステップＳ２５２に処理を進める。一方、景品交換端末機２２０が、会員カード３００と特殊景品４００の双方の交換情報が一致していないと判定した場合は、特殊景品４００は当該会員カード３００の保持者によって交換されたものではないので、景品交換端末機２２０は、交換情報が一致しない旨のエラーを報知し（Ｓ２５３）、景品管理コンピュータ１１０から送信され景品交換端末機２２０の記憶部２２６に記憶されていた交換情報及び景品の交換を行なおうとしている遊技者によって装着された会員カード３００のＩＣタグ３２０のメモリ３２２から読み出した会員情報を、景品管理コンピュータ１１０に送信する（Ｓ２５４）。そして景品交換端末機２２０は、会員カード３００及び特殊景品４００に記憶されている交換情報を消去し（Ｓ２５５）、有価物を排出することなく、特殊景品４００を回収する。この処理によって、遊技者が正当でない場合は、有価物を取得することができない。
【０１８０】
次に、景品交換端末機２２０は、会員カード３００及び特殊景品で一致していた交換情報と景品管理コンピュータ１１０から送信された交換情報とが一致しているか否かを比較判定する（Ｓ２５２）。景品交換端末機２２０が、ステップＳ２５１において一致した会員カード３００及び特殊景品４００の交換情報が、景品管理コンピュータ１１０から送信され景品交換端末機２２０の記憶部２２６に記憶していた交換情報と一致していると判定した場合は、特殊景品４００は当該会員カード３００の保持者によって交換されたものなので、景品交換端末機２２０は、会員カード３００及び特殊景品４００に記憶されている交換情報を消去し（Ｓ２５５）、特殊景品に対応した有価物（現金など）を排出して（Ｓ２５６）、特殊景品４００を回収する（Ｓ２５７）。この処理によって、遊技者が正当である場合は、有価物を取得することができる。そして、会員カード３００は遊技者に戻される。
【０１８１】
一方、景品交換端末機２２０が、ステップＳ２５１において一致した会員カード３００及び特殊景品４００の交換情報が、景品管理コンピュータ１１０から送信され景品交換端末機２２０の記憶部２２６に記憶していた交換情報と一致していないと判定した場合は、会員カード３００と特殊景品４００の双方の交換情報が一致していないと判定した場合と同様に、特殊景品４００は当該会員カード３００の保持者によって交換されたものではないので、景品交換端末機２２０は、交換情報が一致しない旨のエラーを報知し（Ｓ２５３）、景品管理コンピュータ１１０から送信され景品交換端末機２２０の記憶部２２６に記憶されていた交換情報及び景品の交換を行なおうとしている遊技者によって装着された会員カード３００のＩＣタグ３２０のメモリ３２２から読み出した会員情報を、景品管理コンピュータ１１０に送信する（Ｓ２５４）。そして景品交換端末機２２０は、会員カード３００及び特殊景品４００に記憶されている交換情報を消去し（Ｓ２５５）、有価物を排出することなく、特殊景品４００を回収する（Ｓ２５７）。この処理によって、遊技者が正当でない場合は、有価物を取得することができない。
【０１８２】
景品管理コンピュータ１１０は、景品交換端末機２２０から送信された交換情報及び会員情報を受信すると、不正交換者情報を記憶する場合の正確性を向上させ、不正交換を未然に防止するために、受信した交換情報と、景品管理コンピュータ１１０の記憶部１１６に記憶されている交換情報とを比較して、不正交換者情報と記憶部１１６に記憶されている交換情報との最終的な比較判定である最終比較判定をする（Ｓ４５０）。この最終比較判定において交換情報が一致しない場合にのみ、ステップ４５２に処理を進める。交換情報が一致する場合は、ステップＳ４５０で受信した会員情報を不正交換者リストに追加して記憶せず、処理を終了する。
【０１８３】
そして、ステップＳ４５０で受信した会員情報を、景品管理コンピュータ１１０の記憶部１１６に記憶されている不正交換者リストに追加して記憶する（Ｓ４５２）。
【０１８４】
以上説明したように、第５の実施の形態では、遊技の結果を統括的に管理する景品管理コンピュータ１１０を備え、景品交換端末機２２０は、景品交換端末機２２０による比較判定の結果、各交換情報が一致していないと判定された場合は、景品管理コンピュータ１１０に対して交換情報を送信し、景品管理コンピュータ１１０は、景品交換端末機２２０から送信された交換情報を不正交換者情報として記憶する記憶部１１６を有するので、不正交換を行ったことがある遊技者を特定することができ、後日この会員カード３００を使用する遊技者がいる場合は、不正交換者である可能性が高いため、この不正交換者が遊技店に再来店した場合に警戒することが可能となり、警戒することによって特殊景品４００の不正な交換を未然に防ぐことができる。
【０１８５】
また、景品管理コンピュータ１１０は、景品発行端末機１２０から交換情報が送信された場合は、送信された交換情報を記憶する一方、景品交換端末機２２０から送信された不正交換者情報を記憶する前に、不正交換者情報と記憶部１１６に記憶されている交換情報との最終的な比較判定である最終比較判定をするので、不正交換者情報を記憶する場合の正確性を向上させることができ、不正な交換を未然に防止することができる。
【０１８６】
なお、本実施の形態では、景品管理コンピュータ１１０からホール管理コンピュータ１１に不正交換者リストを送信してこの会員カード３００を使用不能にしたり、この会員カード３００が使用された旨を報知したりしてもよい。
【０１８７】
また、本実施の形態では、ステップＳ２５１及びステップＳ２５２の交換情報の比較の結果の如何にかかわらず、ステップＳ２５５において、会員カード３００のＩＣタグ３２０のメモリ３２２及び特殊景品４００のＩＣタグ４２０のメモリ４２２に記憶されている固有番号を消去しているが、ステップＳ２５１及びステップＳ２５２において交換情報が一致していない場合には、景品交換端末機２２０が会員カード３００及び特殊景品４００の交換情報を消去せず、会員カード３００及び特殊景品４００を証拠として回収してもよい。
【０１８８】
（第６の実施の形態）
次に、本発明の第６の実施の形態について説明する。
【０１８９】
第６の実施の形態は、前述した第４の実施の形態の変形例であり、特殊景品４００の発行時に、景品発行端末機１２０から景品管理コンピュータ１１０に会員カード３００の会員情報及び特殊景品４００の固有番号を送信しておき、景品交換端末機による判定の結果、交換情報が一致していないと判定された場合であっても、特殊景品４００の発行の際の景品管理コンピュータ１１０に記憶されている会員情報と、有価物に交換しようとする遊技者が所持していた会員カードに記憶されている会員情報とが一致した場合は、有価物の排出を可能とする点で、前述した第４の実施の形態と異なる。
【０１９０】
図１２は、第６の実施の形態の景品発行端末機及び景品交換端末機の処理手順を示すシーケンス図である。Ｓ２６１〜Ｓ２６９は景品交換端末機２２０の制御部２２２によって、Ｓ４６０〜Ｓ４６２は景品管理コンピュータ１１０の制御部１１２によってそれぞれ実行される。
【０１９１】
景品交換端末機２２０は、会員カード３００のＩＣタグ３２０のメモリ３２２に記憶されている交換情報と特殊景品４００のＩＣタグ４２０のメモリ４２２に記憶されている交換情報が一致しているか否かを比較判定する（Ｓ２６１）。
【０１９２】
景品交換端末機２２０が、会員カード３００と特殊景品４００の双方の交換情報が一致していると判定した場合は、ステップＳ２６２に処理を進める。
【０１９３】
一方、景品交換端末機２２０が、会員カード３００と特殊景品４００の双方の交換情報が一致していないと判定した場合は、特殊景品４００は当該会員カード３００の保持者によって交換されたものではないので、景品交換端末機２２０は、景品管理コンピュータ１１０に特殊景品４００の固有番号に対応する会員情報の送信を要求する（Ｓ２６３）。景品管理コンピュータ１１０は、景品交換端末機２２０からの会員情報の送信の要求を受信すると（Ｓ４６０）、特殊景品４００の固有番号に対応する会員情報を景品管理コンピュータ１１０の記憶部１１６から読み出して、景品交換端末機２２０に送信する（Ｓ４６２）。
【０１９４】
ステップＳ２６１において景品交換端末機２２０が会員カード３００と特殊景品４００の双方の交換情報が一致していると判定した場合は、景品交換端末機２２０は、会員カード３００及び特殊景品で一致していた交換情報と景品管理コンピュータ１１０から送信された交換情報とが一致しているか否かを比較判定する（Ｓ２６２）。景品交換端末機２２０が、ステップＳ２６１において一致した会員カード３００及び特殊景品４００の交換情報が、景品管理コンピュータ１１０から送信され景品交換端末機２２０の記憶部２２６に記憶していた交換情報と一致していると判定した場合は、特殊景品４００は当該会員カード３００の保持者によって交換されたものなので、景品交換端末機２２０は、会員カード３００及び特殊景品４００に記憶されている交換情報を消去し（Ｓ２６７）、特殊景品に対応した有価物（現金など）を排出して（Ｓ２６８）、特殊景品４００を回収する（Ｓ２６９）。この処理によって、遊技者が正当である場合は、有価物を取得することができる。そして、会員カード３００は遊技者に戻される。
【０１９５】
一方、景品交換端末機２２０が、ステップＳ２６１において一致した会員カード３００及び特殊景品４００の交換情報が、景品管理コンピュータ１１０から送信され景品交換端末機２２０の記憶部２２６に記憶していた交換情報と一致していないと判定した場合は、会員カード３００と特殊景品４００の双方の交換情報が一致していないと判定した場合と同様に、特殊景品４００は当該会員カード３００の保持者によって交換されたものではないので、景品交換端末機２２０は、景品管理コンピュータ１１０に特殊景品４００の固有番号に対応する会員情報の送信を要求する（Ｓ２６３）。景品管理コンピュータ１１０は、景品交換端末機２２０からの会員情報の送信の要求を受信すると（Ｓ４６０）、特殊景品４００の固有番号に対応する会員情報を景品管理コンピュータ１１０の記憶部１１６から読み出して、景品交換端末機２２０に送信する（Ｓ４６２）。
【０１９６】
そして景品交換端末機２２０は、景品管理コンピュータ１１０から送信される会員情報を受信すると（Ｓ２６４）、この受信した会員情報と会員カード３００のＩＣタグ３２０のメモリ３２２に記憶されている会員情報とが一致しているか否かを比較判定する（Ｓ２６５）。
【０１９７】
景品交換端末機２２０は、受信した会員情報が会員カード３００の会員情報と一致していると判定した場合は、会員カード３００の交換情報と特殊景品４００の交換情報とが一致しないが、当該会員カードの保持者自体は正当であるため、景品交換を行なうこととして、景品交換端末機２２０は、会員カード３００及び特殊景品４００に記憶されている交換情報を消去し（Ｓ２６７）、特殊景品に対応した有価物（現金など）を排出して（Ｓ２６８）、特殊景品４００を回収する（Ｓ２６９）。この処理によって、遊技者が正当である場合は、有価物を取得することができる。そして、会員カード３００は遊技者に戻される。
【０１９８】
一方、受信した会員情報が会員カード３００の会員情報と一致していないと判定した場合は、景品交換端末機２２０は、交換情報が一致しない旨のエラーを報知し（Ｓ２６６）、会員カード３００及び特殊景品４００に記憶されている交換情報を消去し（Ｓ２６７）、有価物を排出することなく、特殊景品４００を回収する（Ｓ２６９）。この処理によって、遊技者が正当でない場合は、有価物を取得することができない。
【０１９９】
以上説明したように、第６の実施の形態では、何らかの理由で特殊景品４００のＩＣタグ４２０のメモリ４２２又は会員カード３００のＩＣタグ３２０のメモリ３２２に記憶された交換情報が壊れた場合であっても、全く景品交換を行えなくなってしまうという不都合を解消でき、不用なトラブルが発生することを防止することができる。
【０２００】
なお、本実施の形態では、ステップＳ２６５の会員情報の比較の結果の如何にかかわらず、ステップＳ２６７において、会員カード３００のＩＣタグ３２０のメモリ３２２及び特殊景品４００のＩＣタグ４２０のメモリ４２２に記憶されている固有番号を消去しているが、ステップＳ２６５において交換情報が一致していない場合には、景品交換端末機２２０が会員カード３００及び特殊景品４００の交換情報を消去せず、会員カード３００及び特殊景品４００を証拠として回収してもよい。
【０２０１】
なお、前述した本発明の第１〜第６の実施の形態は、単独で実施してもよく、また、必要に応じて適宜組み合わせて実施してもよい。また、前述した実施の形態は、全ての点で例示であって制限的なものではない。さらに、本発明の範囲は前述した発明の説明ではなくて特許請求の範囲によって示され、特許請求の範囲と均等の意味及び内容の範囲での全ての変更が含まれることが意図される。
【産業上の利用可能性】
【０２０２】
以上のように、本発明に係る遊技管理システムは、パチンコ遊技機、コイン遊技機、スロットマシン等の遊技機が設置された遊技場における景品カウンターで発行された特殊景品を受け取った遊技者以外には換金を行なわせないようにする遊技管理システムに適用することができる。
【図面の簡単な説明】
【０２０３】
【図１】本発明の第１の実施の形態の遊技管理システムの構成図である。
【図２】本発明の第１の実施の形態の景品管理を行う各種装置のブロック図である。
【図３】本発明の第１の実施の形態の会員カードの外観図（ａ）及びブロック図（ｂ）である。
【図４】本発明の第１の実施の形態の特殊景品の外観図（ａ）及びブロック図（ｂ）である。
【図５】本発明の第１の実施の形態の会員カード及び特殊景品に記憶される交換情報の一例である。
【図６】本発明の第１の実施の形態の会員カード及び特殊景品に記憶される交換情報の別の一例である。
【図７】本発明の第１の実施の形態の景品発行端末機及び景品交換端末機の処理手順を示すシーケンス図である。
【図８】本発明の第２の実施の形態の景品発行端末機及び景品交換端末機の処理手順を示すシーケンス図である。
【図９】本発明の第３の実施の形態の景品発行端末機及び景品交換端末機の処理手順を示すシーケンス図である。
【図１０】本発明の第４の実施の形態の景品発行端末機及び景品交換端末機の処理手順を示すシーケンス図である。
【図１１】本発明の第５の実施の形態の景品発行端末機及び景品交換端末機の処理手順を示すシーケンス図である。
【図１２】本発明の第６の実施の形態の景品発行端末機及び景品交換端末機の処理手順を示すシーケンス図である。
【符号の説明】
【０２０４】
１  遊技管理システム
１０  遊技場
１１  ホール管理コンピュータ
１６  島
２０  景品交換所
１００  景品カウンター
１１０  景品管理コンピュータ
１２０  景品発行端末機
１３０  カードリーダ／ライタ
１６０  島コントローラ
１７０  計数機
１８０  カードリーダ／ライタ
１９０  通信装置
１９２  遊技機
１９４  遊技媒体貸出装置
２１０  通信装置
２２０  景品交換端末機
２３０  カードリーダ／ライタ
３００  会員カード
３２０  ＩＣタグ
３２２  メモリ
３２４  送受信部
３２６  アンテナ
４００  特殊景品
４２０  ＩＣタグ
４２２  メモリ
４２４  送受信部
４２６  アンテナ
【図１】
2007111330.tif 000003
【図２】
2007111330.tif 000004
【図３】
2007111330.tif 000005
【図４】
2007111330.tif 000006
【図５】
2007111330.tif 000007
【図６】
2007111330.tif 000008
【図７】
2007111330.tif 000009
【図８】
2007111330.tif 000010
【図９】
2007111330.tif 000011
【図１０】
2007111330.tif 000012
【図１１】
2007111330.tif 000013
【図１２】
2007111330.tif 000014